(57)【要約】【課題】組み立て式ゴルフクラブグリップを提供する。【解決手段】内層ユニット及び外層ユニットを含み、該内層ユニットは、弾性を有する膠質材料からなり、且つ該内層ユニットの外表面は、美観又は標示のための標示領域を有する。該外層ユニットは、弾性を有する膠質材料からなり且つ透明となっており、該内層ユニットの外表面に嵌設されている。本考案に係るグリップは、ゴルフクラブの末端を容易に収容可能であり、美観や実用性の利点を有する。【選択図】  図１
0003166510.tif 000002
【実用新案登録請求の範囲】
【請求項１】
内層ユニット及び外層ユニットを含み、前記内層ユニットは、弾性を有する膠質材料からなり、頂部がフランジを有し、前記内層ユニットの内部は、ゴルフクラブの末端を収容するための収容空間を有し、前記外層ユニットは、弾性を有する膠質材料からなる中空体であり、前記内層ユニットが前記外層ユニットに嵌入され、前記外層ユニットは、前記内層ユニットのフランジに当接される上端縁を有することを特徴とする組み立て式ゴルフクラブグリップ。
【請求項２】
前記内層ユニットの外表面は、色彩、花模様、線条、パターン又は文字を有し、前記外層ユニットは、透明であることを特徴とする請求項１に記載の組み立て式ゴルフクラブグリップ。
【請求項３】
前記外層ユニットの材料弾性係数は、前記内層ユニットより高く、前記外層ユニットの木地は、前記内層ユニットより柔らかいことを特徴とする請求項１に記載の組み立て式ゴルフクラブグリップ。
【考案の詳細な説明】
【技術分野】
【０００１】
本考案は、ゴルフクラブグリップに関し、特にゴルフクラブの末端に対する組み立てを容易に行うことができるとともに、美観や実用性の効果を兼ねるグリップに関するものである。
【背景技術】
【０００２】
ゴルフ用品の開発技術の向上及びゴルフ運動の普及に伴い、ユーザは、ボール用具の品質に対する要求がますます厳しくなり、多様化してきている。ゴルフクラブのグリップは、ユーザが握るために、よい握り心地のみだけではなく、スイングショット効果を向上させる特性を有しなければならない。一般に、ゴルフクラブのグリップは、ゴム又はプラスチックからなる単層構造であり、クラブがグリップに置き入れられた後、グリップがクラブによって緊締される。ユーザが緊締されたグリップを握ってスイングショットする場合は、通常、振動減衰の緩衝能力が良くなく、スイングショットの瞬間に振動力が発生し、スイングショット動作に悪い影響を与えることがある。さらに、グリップの美観性に対しては、通常、グリップの外表面に一体成形となる花模様を設けることが要求される。該グリップの外側に露出された花模様が長期にわたってユーザに握られた後、摩擦により線条がぼやけて、色濁り等の問題が生じ、もともと美観性を増加させるためのデザインがかえって外観上の瑕疵となってしまう。
【考案の概要】
【０００３】
そこで、本考案は、ゴルフクラブの末端に対する組み立てを容易に行うことができるとともに、美観や実用性の効果を兼ねるグリップを提供することを課題とする。
【課題を解決するための手段】
【０００４】
上述した目的を達成するために、本考案は、内層ユニット及び外層ユニットを含み、該内層ユニットは、弾性を有する膠質材料からなり、且つ該内層ユニットの外表面は、美観又は標示のための標示領域を有する。該外層ユニットは、弾性を有する膠質材料からなり且つ透明となっており、該内層ユニットの外表面に嵌設されている。
【考案の効果】
【０００５】
本考案に係るゴルフクラブグリップによれば、グリップとゴルフクラブとの組み合わせを容易にすることができるとともに、ユーザに対してよい握り心地及びスイングショットの補助効果を提供することができる。また、本考案に係るグリップ上の美観的デザインは、長期的に維持することができる。
【図面の簡単な説明】
【０００６】
【図１】本考案に係るゴルフクラブグリップの立体構造図を示す。
【図２】本考案に係るゴルフクラブグリップの組み合わせを模式的に示した図である。
【考案を実施するための形態】
【０００７】
以下、図面に示す実施例を参照しながら、本考案に係る技術手段及び構造特徴を詳しく説明する。
【０００８】
本考案を詳しく説明する前に、ここで注意すべき点は、本考案の図面は本考案の基本構造を模式的に示したものであるため、図面において本考案に関係する素子のみ示され、示された素子の数、形状、寸法の比例はいずれも選択性のデザインであることである。
【０００９】
図１及び図２を参照して、本考案に係るゴルフクラブグリップは、内層ユニット１０及び外層ユニット２０を含む。内層ユニット１０は、弾性を有する膠質材料からなり、その頂部にはフランジ１１を有し、その内部にはゴルフクラブ３０の末端を収容するための収容空間を有している。具体的な実施例において、内層ユニット１０が作成された場合には、その外表面に標示領域（図示せず）が形成されている。この標示領域は、好ましくは、所定の単一又は複数の色であってもよく、また、美観又は標示のための花模様、線条、パターン、文字等であってもよい。
【００１０】
外層ユニット２０は、弾性を有する膠質材料からなる中空錐状柱体である。この実施例において、外層ユニット２０は、透明の材質からなり、その上端縁２１の開口には、内層ユニット１０の底部が貫通し、これにより外層ユニット２０が内層ユニット１０の外に嵌設され、且つ上端縁２１がフランジ１１に当接される。
【００１１】
好ましい実施例において、外層ユニット２０は、高い弾性係数を有しているため、外層ユニット２０の木地が内層ユニット１０より柔らかい。本考案によれば、外層ユニット２０の木地を柔らかくし、木地の硬い内層ユニット１０と組み合わせることにより、木地の硬い内層ユニット１０がゴルフクラブ３０の組み立てを容易にするための剛性を有し、木地の柔らかい外層ユニット２０が内層ユニット１０に嵌設された後、ユーザによい握り心地及びスイングショットの補助効果を提供することができる。さらに、外層ユニット２０が内層ユニット１０の外表面に嵌設され、且つ外層ユニット２０が透明特性であるため、外側から透明の外層ユニット２０を介して内層ユニット１０の外表面標示領域の所定の色、花模様、線条、パターン又は文字等をはっきり観察することができ、本考案に係るグリップは、質感が繊細である美観特性を呈し、商品の価値観が向上する。さらに、内層ユニット１０の標示領域が透明の外層ユニット２０によって保護されているため、ユーザによって直接接触されることはなく、該標示領域の線条や色の鮮明さ及び永久の使用を確保することができる。
【００１２】
図に示す内層ユニット１０及び外層ユニット２０の寸法比例は、選択性のデザインであり、両者の間は、実際の需要に応じて厚薄の比例を調整することができる。この実施例において、該標示領域は、内層ユニット１０の外表面を、所定の色のデザインのほか、花模様、パターン又は文字の形態で表示してもよい。
【００１３】
内層ユニット１０と外層ユニット２０との組み合わせデザインにより、本考案に係るグリップは、美観及び実用性の効果を兼ねるようになり、さらに新規なゴルフクラブグリップの構造を提供することができる。
【００１４】
従来のグリップに比して、本考案に係るグリップは、明らかに進歩性を備える。また、上述したものは、本考案の好ましい実施例に過ぎず、本考案の実施の範囲を限定するためのものではなく、本考案の明細書及び図面内容に基づいてなされた均等な変更および付加は、いずれも本考案の特許請求の範囲内に含まれるものとする。
【００１５】
以上のように、本考案では、内層ユニット及び外層ユニットを含み、前記内層ユニットは、弾性を有する膠質材料からなり、頂部がフランジを有し、前記内層ユニットの内部は、ゴルフクラブの末端を収容するための収容空間を有し、前記外層ユニットは、弾性を有する膠質材料からなる中空体であり、前記内層ユニットが前記外層ユニットに嵌入され、前記外層ユニットは、前記内層ユニットのフランジに当接される上端縁を有することを特徴とする組み立て式ゴルフクラブグリップとするものである。
【００１６】
また、前記内層ユニットの外表面は、色彩、花模様、線条、パターン又は文字を有し、前記外層ユニットは、透明であることを特徴とする請求項１に記載の組み立て式ゴルフクラブグリップであるものとする。
【００１７】
また、前記外層ユニットの材料弾性係数は、前記内層ユニットより高く、前記外層ユニットの木地は、前記内層ユニットより柔らかいことを特徴とする請求項１に記載の組み立て式ゴルフクラブグリップであるものとする。
【産業上の利用可能性】
【００１８】
本考案に係るゴルフクラブグリップによれば、グリップとゴルフクラブとの組み合わせを容易にすることができるとともに、ユーザに対してよい握り心地及びスイングショットの補助効果を提供することができる。また、本考案に係るグリップ上の美観的デザインは、長期的に維持することができる。
【符号の説明】
【００１９】
１０  内層ユニット
１１  フランジ
２０  外層ユニット
２１  上端縁
３０  ゴルフクラブ
【図１】
0003166510.tif 000003
【図２】
0003166510.tif 000004